(57)【要約】【課題】強度の高い二重折板屋根の構造を形成するための連結部材を提供する。【解決手段】二重折板屋根の連結部材１は、連設された複数の折板屋根材５０によって構成され山部８と谷部９とが交互に配置された上屋根部５と下屋根部６とを連結するものである。下屋根部６の頂部７と接続される接続部２と、上屋根部５とハゼ締めされる吊子４と、両側方に突出して上屋根部５の山部８の両側部に設けられた被係止部５３を係止する係止部３とを備えている。上屋根部５が連結部材１に三点で結合し嵌合されることとなり、強固に保持される。【選択図】図１
2013023932.tif 000002
【特許請求の範囲】
【請求項１】
連設された複数の折板屋根材によって構成され山部と谷部とが交互に配置された上屋根部と下屋根部とを連結する二重折板屋根の連結部材であって、下屋根部の頂部と接続される接続部と、上屋根部とハゼ締めされる吊子と、両側方に突出して上屋根部の山部の両側部に設けられた被係止部を係止する係止部とを備えていることを特徴とする、二重折板屋根の連結部材。
【請求項２】
前記接続部と前記吊子とを断熱する断熱体を備えていることを特徴とする、請求項１に記載の二重折板屋根の連結部材。
【請求項３】
前記吊子の両側に断熱体及び係止材がこの順で配設されて構成され、前記各係止材は側方に突出する側出片を備え、前記係止部は、前記側出片の端部からこの側出片よりも下方に傾斜して側方に突出する係止片により構成されていることを特徴とする、請求項１又は２に記載の二重折板屋根の連結部材。
【請求項４】
前記接続部は、前記各係止材の内側に突設された対向する接続突設により構成されていることを特徴とする、請求項１〜３のいずれか１項に記載の二重折板屋根の連結部材。
【請求項５】
請求項１〜４のいずれか１項に記載の二重折板屋根の連結部材により、上屋根部と下屋根部とを連結したことを特徴とする、二重折板屋根の構造。
【発明の詳細な説明】
【技術分野】
【０００１】
本発明は、二重折板屋根を形成するための連結部材及び二重折板屋根の構造に関する。
【背景技術】
【０００２】
従来、図１６に示すような、複数の折板屋根材５０により形成された下屋根部６及び上屋根部５を上下に重ねて形成した二重折板屋根の構造が知られている（例えば特許文献１参照）。下屋根部６及び上屋根部５は、複数の折板屋根材５０を連結することにより形成され、山部８と谷部９とが交互に配置されている。また、下屋根部６は、梁などの屋根下地８０の上に取り付けられたタイトフレーム７０に、吊子１０２を介してハゼ締めされて取り付けられている。また、下屋根部６の梁の真上に位置するハゼ締めされた部分には、断熱性連結金具１０１が取り付けられている。そして、この断熱性連結金具１０１を介して、上屋根部５が、山部８及び谷部９が下屋根部６の山部８及び谷部９と同一方向になるように配置されてハゼ締めされて取付けられている。下屋根部６と上屋根部５との間には断熱材３１が配設されている。こうして二重構造の屋根が形成されることにより、断熱性が確保されている。
【０００３】
このように二重折板屋根は、下屋根部６の頂部７と上屋根部５の頂部７とを連結する連結部材として断熱性連結金具１０１が用いられて形成される。
【先行技術文献】
【特許文献】
【０００４】
【特許文献１】特開２００４−１１１５１号公報
【発明の概要】
【発明が解決しようとする課題】
【０００５】
しかし、従来の二重折板屋根では、上下の折板屋根材５０は各頂部７において連結されているだけであり、上屋根部５の取り付け強度が弱くなる可能性があった。特に、台風などの強風の吹く地域では、上屋根部５が剥がれてしまうおそれがあった。
【０００６】
本発明は上記の点に鑑みてなされたものであり、強度の高い二重折板屋根の構造、及び、二重折板屋根を形成するための連結部材を提供することを目的とするものである。
【課題を解決するための手段】
【０００７】
本発明に係る二重折板屋根の連結部材は、連設された複数の折板屋根材によって構成され山部と谷部とが交互に配置された上屋根部と下屋根部とを連結する二重折板屋根の連結部材であって、下屋根部の頂部と接続される接続部と、上屋根部とハゼ締めされる吊子と、両側方に突出して上屋根部の山部の両側部に設けられた被係止部を係止する係止部とを備えていることを特徴とする。
【０００８】
前記二重折板屋根の連結部材の好ましい形態においては、前記接続部と前記吊子とを断熱する断熱体を備えている。
【０００９】
前記二重折板屋根の連結部材の好ましい形態においては、前記吊子の両側に断熱体及び係止材がこの順で配設されて構成され、前記各係止材は側方に突出する側出片を備え、前記係止部は、前記側出片の端部からこの側出片よりも下方に傾斜して側方に突出する係止片により構成されている。
【００１０】
前記二重折板屋根の連結部材の好ましい形態においては、前記接続部は、前記各係止材の内側に突設された対向する接続突設により構成されている。
【００１１】
本発明に係る二重折板屋根の構造は、上記の二重折板屋根の連結部材により、上屋根部と下屋根部とを連結したことを特徴とする。
【発明の効果】
【００１２】
本発明によれば、上屋根部に対して吊子によってハゼ締めするとともに係止部により係止させることができるので、上屋根部を強固に取り付けることができ、強度の高い二重折板屋根を形成することができる。
【図面の簡単な説明】
【００１３】
【図１】本発明による二重折板屋根の構造の実施の形態の一例を示す断面図である。
【図２】本発明による二重折板屋根の連結部材の実施の形態の一例を示す正面図である。
【図３】同上の実施の形態を示し、（ａ）は平面図、（ｂ）は底面図である。
【図４】同上の実施の形態を示し、（ａ）は左側面図、（ｂ）は右側面図である。
【図５】同上の実施の形態を示す斜視図である。
【図６】同上の実施の形態を示す分解斜視図である。
【図７】折板屋根材の一例を示す斜視図である。
【図８】タイトフレームの一例を示す斜視図である。
【図９】二重折板屋根の施工の一例を示し、施工途中の状態を表す断面図である。
【図１０】同上の断面図である。
【図１１】同上の断面図である。
【図１２】同上の断面図である。
【図１３】二重折板屋根の構造の実施の形態の一例を示す一部破断した側面図である。
【図１４】二重折板屋根の施工の他の一例を示す断面図である。
【図１５】本発明による二重折板屋根の構造の実施の形態の他の一例を示す断面図である。
【図１６】従来の二重折板屋根の構造の一例を示す断面図である。
【発明を実施するための形態】
【００１４】
図１は、二重折板屋根の構造の実施の形態の一例を示す断面図である。上屋根部５及び下屋根部６は、それぞれ、複数の折板屋根材５０が連設され横方向に連結されて形成されており、山部８と谷部９とが交互に配置された形状となっている。上屋根部５と下屋根部６とは、二重折板屋根の連結部材１（以下単に連結部材１とも言う）によって連結されている。連結部材１は、下屋根部６の頂部７と接続される接続部２と、上屋根部５とハゼ締めされる吊子４と、両側方に突出して上屋根部５の山部８の両側部に設けられた被係止部５３を係止する係止部３とを備えている。図１３は、本実施形態における一部破断した側面図である。
【００１５】
図２〜６は、連結部材１の実施の形態の一例である。本形態では、図６に示すように、連結部材１は、吊子４の両側に、断熱体１２と、係止材１１とがこの順で配設され、これらの部材が接合具３０によって接合し一体化されることによって形成されている。吊子４及び係止材１１は、鋼製などの金属製で厚さ２〜５ｍｍ程度の板材又は帯材を折り曲げ加工等することによって形成される。断熱体１２は、樹脂硬化物によって形成される。
【００１６】
吊子４は、垂直に延伸する板状の吊子本体部４０と、この吊子本体部４０の上側に、ハゼ締めにより折板屋根材５０に結合される吊子係着部４１とを備えている。吊子係着部４１は、吊子本体部４０の上端から略垂直に側方に折れ曲がった吊子係着片４２と、吊子係着片４２の先端から内側に折り曲げられて斜め下方に吊子本体部４０に向かって延伸する吊子先片４３とにより構成されている。吊子本体部４０には、接合具３０の軸部を挿入する接合孔４４が設けられている。この吊子本体部４０の接合孔４４は、縦方向（垂直方向）に長い孔であることが好ましい。その場合、上屋根部５を構成する折板屋根材５０を取り付ける際に上からの圧力を吸収可能にすることができる。吊子本体部４０は、下部では幅方向が係止材１１の幅方向よりも狭く形成されており、接合孔４４よりやや上側からは上方になるにしたがって幅方向が徐々に幅広になっている。また、吊子係着部４１の長手方向（幅方向）の長さは、係止材１１の幅方向の長さよりも幅広となっている。
【００１７】
係止材１１は、矩形状又は帯状の金属板の折板・プレス加工により形成されるものであり、垂直に立設する基部２０と、基部２０の下部において外側方に延伸して突出する側出片２３と、側出片２３の端部の先端から内側に折れ曲がり外側方に突出する係止片２４とを備えている。側出片２３は、水平よりもやや斜め下の角度で外側方に延伸して突出しており、係止片２４は、側出片２３よりも下方向に急な角度で外側方に突出している。係止片２４の水平方向に対する傾斜角度は、後述する折板屋根材５２の半山部５２の傾斜角度、特に上係止片５３ｂの傾斜角度と同程度の傾斜角度であることが好ましい。それにより、係止部３による係合が強固になる。本形態では、係止片２４によって、折板屋根材５０を係止するための係止部３が構成されている。
【００１８】
基部２０と側出片２３との間には、基部２０の下部側から突曲部２１及び凹曲部２２が縦方向に設けられている。突曲部２１は、外側方に突出しており、基部２０の下部において外側に折り曲げられて突出した後、内側に折り返されて屈曲し、倒Ｕ字状に形成されている。また、凹曲部２２は、突曲部２１の先端から連続して延伸し基部２０よりも内側に凹入した後、外側に折り返されて屈曲し、倒Ｕ字状に形成されている。凹曲部２２の内側面は、基部２０よりも内側に突出しており、この突出が連結部材１を下屋根部６に接続するための接続突設１７となる。ただし、この接続突設１７は幅方向の中央においては内側に湾曲している。突曲部２１及び凹曲部２２は全体として、断面Ｓ字状に形成されており、上下方向の圧力が吸収可能な構造となっている。
【００１９】
また、基部２０の上部には、基部２０の上端から外側方に略垂直に折れ曲がって突出する折曲片２５が設けられている。基部２０及び折曲片２５の幅方向の中央部においては、基部２０から折曲片２５に亘って内側に段状に凹設された凹段部２６が設けられている。凹段部２６により接合具３０の位置決めが容易になる。また、凹段部２６はリブとしての機能も果たし、連結部材１の強度を向上させる。基部２０における凹段部２６の中央には、接合具３０の軸部を挿入するための孔として接合孔２７が設けられている。
【００２０】
側出片２３の幅方向の中央部には、側出片２３の延伸方向に沿って上方に突設した突設リブ２８が設けられている。また、側出片２３及び係止片２４には、その境界領域において、側出片２３から係止片２４に跨って幅方向の両端部に下方に凹設された凹設リブ２９が設けられている。突設リブ２８及び凹設リブ２９は、係止材１１にプレス加工等を施すことにより形成されるものである。リブが設けられることにより、連結部材１の強度が向上する。
【００２１】
連結部材１を構成する二つの係止材１１は、同じ形状であってもよく、異なる形状であってもよい。本形態においては、一方の係止材１１（１１ａ）において、凹段部２６における接合孔２７の両側に、外側に切り起こされて突出した接合止突設１９が形成されている。この接合止突設１９は、接合具３０として頭部が六角状の六角ネジなどを用いた場合に、頭部の辺を係止して接合具３０の回動を止める機能を有する。それにより、接合具３０の空転が抑制され、接合具３０によって各部を簡単に強固に連結することができる。接合止突設１９は、吊子４の係着部４１が突出される側に配設される係止材１１に設けられることが好ましい。接合止突設１９以外は、二つの係止材１１ａ、１１ｂは同形状となっている。
【００２２】
断熱体１２は、略Ｌ字状に形成された断熱性の部材であり、吊子本体部４０と係止材１１の基部２０との間に配設されている。この断熱体１２により、係止材１１と吊子４とが断熱されており、それにより係止材１１によって形成される接続部２と吊子４とが断熱されることになる。断熱体１２としては、断熱性の樹脂などを成形したものを用いることができる。断熱体１２は、垂直に延伸する基体１３と、基体１３の上部で外側方に略水平に突出する側体１４とから構成されている。基体１３の中央部には、接合具３０の軸部を挿入するための孔として接合孔１５が設けられている。また、断熱体１２の基体１３及び側体１４は、基体１３から側体１４の全長に亘って断面コ字状に形成され、幅方向の両端部に外側（係止片１１側）に突出する断熱体凸設１６が形成されている。このような形状となることにより、係止材１１と接合された際に、係止材１１の内側に突出している凹段部２６を、断面コ字状の断熱体１２により被覆できるようになっている。断熱体凸設１６の突出幅は、凹段部２６により形成された内側（断熱体１２側）への突出幅と略同一であってもよく、前者の方がやや長く形成されていてもよい。連結部材１を構成する二つの断熱体１２は、同じ形状であってもよく、異なる形状であってもよい。
【００２３】
接合具３０は、ボルト３０ａ、ナット３０ｂ、ワッシャー３０ｃ、スプリングワッシャー３０ｄなどにより構成されるものである。本形態では、ボルト３０ａの軸部を各部材の接合孔２７、１５、４４に通過させて、ナット３０ｂのネジ孔と螺合させることによって、二つの係止材１１、二つの断熱体１２、及び、吊子４を接合することができる。
【００２４】
こうして、連結部材１は、係止材１１（１１ａ）、断熱体１２、吊子４、断熱体１２、係止材１１（１１ｂ）がこの順で接合具３０により接合一体化されて形成される。この連結部材１は、二重折板屋根を形成する際に上屋根部５と下屋根部６をと連結する断熱性金具となる。
【００２５】
図２に示すように、連結部材１では、側出片２３及び係止片２４が両側方に突出している。側出片２３及び係止片２４を合わせた基部２０からの突出長さは、上屋根部５の山部８の側部にまで到達する長さとなっている。これにより、上屋根部６の山部８に設けられた被係止部５３に係止部３を係止させることができる。また、二つの係止材１１、１１において対向する凹曲部２２、２２の内側、すなわち対向する接続突設１７、１７によって、連結部材１を下屋根部６に接続し連結する接続部２が構成されている。この接続部２は、対向する接続突設１７、１７が接近しその隙間が狭くなることによって、下屋根部６の頂部７に設けられたハゼ部６０を狭持して接続するものであってよい。あるいは、接続部２は、対向する接続突設１７、１７が接近してその隙間が狭くなることによって、下屋根部６がハゼ締めされて結合されたハゼ締め結合部１０の上端を抜けなくして係合するものであってよい。また、対向する二つの係止材１１、１１における突曲部２１、２１間には、空間が設けられている。この空間は、ハゼ締め結合部１０を収納するハゼ収納部１８となるものである。そのため、このハゼ収納部１８は、ハゼ締め結合部１０よりも大きな空間として設けられている。
【００２６】
連結部材１においては、吊子４と係止材１１とは、断熱体１２が間に介在することによって、直接接触していない。このため、断熱体１２によって熱の伝達が抑制されることになる。それにより、上屋根部５と下屋根部６との熱伝導を抑制することが可能となる。
【００２７】
連結部材１の係止片２４には、上面にシート状の補助断熱材３６が貼着されてもよい（図１３参照）。係止片２４は、上屋根部５の山部８の側部にまで達するため、その上面は、上屋根部５と接触する可能性がある。この接触面積が大きいと、上屋根部５から熱が係止片２４及び側出片２３を介して下屋根部６にハゼ部６０から伝達するおそれがある。そこで、補助断熱材３６を貼着することにより、係止片２４を介した熱伝達を抑制することができる。補助断熱材３６としては裏面が粘着性となった断熱テープを好ましく用いることができる。補助断熱材３６は、係止片２４の上面全体に貼着されることが好ましい。なお、係止片２４の先端は上屋根部５と当接する場合があるが、この部分における接触面積は小さいので熱伝達の影響は少ない。また、係止片３による係止を妨げないのであれば、係止片３の先端を囲むように補助断熱材３６を貼着してもよい。
【００２８】
図７は、上屋根部５及び下屋根部６を形成する折板屋根材５０の一例である。折板屋根材５０は、底部５１と、底部５１の両側端部から斜め上方に突出する一対の半山部５２とからなり、断面略Ｕ字状（先端の広がったＵ字状）に形成されている。図示の形態では、折板屋根材５０を構成する各部は、金属板の片として形成されており、また、折板屋根材５０の長手方向の全長に亘って形成されている。
【００２９】
折板屋根材５０は、薄い金属板を折り曲げ加工等することにより長尺に形成されるものである。金属板としては亜鉛めっき鋼板、塗装鋼板、ガルバリウム鋼板（登録商標）などを用いることができる。また、金属板の厚みとしては０．５〜１．２ｍｍのものを用いることができるが、これに限定されるものではない。
【００３０】
半山部５２は、その上下方向の中間よりも下側に、連結部材１の側方に突出する係合部３と係合される被係止部５３が形成されている。被係止部５３が形成されていることにより、上屋根部５を施工する際、連結部材１の係止部３に被係止部５３を係止させて折板屋根材５０を取り付けることができ、折板屋根材５０を確実に固定することができる。
【００３１】
また、半山部５２は、被係止部５３よりも上側に、内側に傾斜して屈曲する補強リブ部５４が形成されている。補強リブ部５４が折板屋根材５０の長手方向の全長に亘って形成されることにより、補強リブ部５４が半山部５２を補強するリブとして機能して、気温変化により底部５１に歪みや変形が生じるのを防止することができる。また、表面側（内側）に傾斜して屈曲する補強リブ部５４が形成されることにより、この補強リブ部５４を支点として半山部５２を表面側に湾曲させるように弾性変形しやすくすることができ、折板屋根材５０を取り付けやすくすることができる。
【００３２】
半山部５２は、図示の形態においては、底部５１の側端部から外側方に向かって斜め上方に突設される半山基片５５が形成されており、この半山基片５５の上側で被係止部５３が半山基片５２の表面側に向かって突設されている。被係止部５３は、半山基片５５の上端から表面側に、略垂直あるいは鋭角に折り曲げられた下被係止片５３ａと、表面側に断面略Ｖ字状あるいは断面略Ｕ字状に外側方に向かって斜め上方に折り返された上被係止片５３ｂとにより形成されている。上被係止片５３ｂは、被係止部５３の上側で外側方に向かって斜め上方に突設されており、この上被係止片５３ｂの上端からは、表面側（内側）に傾斜して折り曲げられて、上被係止片５３ｂよりも水平に対して急角度で外側方に向かって斜め上方に突設された半山上片５６が形成されている。ここで、下被係止片５３ａと上被係止片５３ｂとの境界部分が、被係止部５３の突出する先端となるものであるが、この先端は、半山部５２の上下方向の中間よりも下側に形成されることが好ましい。ここで、連結部材１との係合が十分になるように、上被係止片５３ｂの水平方向に対する傾斜角度は、連結部材１の係止片２４の水平方向に対する傾斜角度と同じかそれよりも大きいことが好ましい。また、下被係止片５３ａの表面側への突出長さは、係止部材１の厚みよりも大きいことが好ましい。
【００３３】
上被係止片５３ｂと半山上片５６との境界は、先端の広がった断面Ｖ字状（断面ヘ字状）に表面側に向かって鈍角の角度で屈曲しており、この上被係止片５３ｂと半山上片５６との境界部分において、補強リブ部５４が形成されている。この補強リブ部５４は裏面側（外側方）に向かって凸曲しており、それにより、リブとして機能するとともに、折板屋根材５０が弾性変形可能となるものである。上被係止片５３ｂと半山上片５６とのなす角度は鈍角とすることが好ましいが、この角度を１５０°以上１８０°未満にして、上被係止片５３ｂから半山上片５６にかけてゆるやかに傾斜させて補強リブ部５４を形成することもできる。
【００３４】
補強リブ部５４は、半山部５２の上下方向の略中央において形成されていることが好ましい。補強リブ部５４が半山部５２の略中央で形成されることによって、半山部５２を中央部分で折れ曲がるようにして弾性変形させることができ、変形幅を大きくとることができるとともに、弾性変形をしやすくすることができるものである。また、半山部５２の上下方向の略中央に補強リブ部５４を形成することによって、半山部５２を中央部分で補強することができ、折板屋根材５０の取り付け強度を高めることができるものである。また、半山部５２の上下方向の略中央に補強リブ部５４の屈曲形状が長尺方向に形成されることによって、デザイン性を向上することができるものである。
【００３５】
半山上片５６の上端からは、外側方に向かって斜め上方に突設した山上部５７が形成されている。図示の例では、山上部５７は、半山上片５６の先端から外側方に向かって屈曲し延伸して形成されており、水平方向よりもやや上方に傾斜した角度で突設されている。この山上部５７は、隣り合う他の折板屋根材５０の山上部５７と合わせて、上屋根部５及び下屋根部６の山部８の頂部７が構成されるものである。山上部５７の形態は図示のものに限られず、山上部５７が、半山上片５６の上端から、水平方向と略平行に外側方に向かって突出するように形成されていてもよい。
【００３６】
山上部５７の先端にはハゼ部６０が形成されている。それにより、折板屋根材５０の上側においてハゼ締めによって横方向に折板屋根材５０を取り付けることができる。
【００３７】
ハゼ部６０は、一方の半山部５２においては、山上部５７の先端から上方に向かって突設された断面略逆Ｕ字状の上ハゼ部５９として形成されており、他方の半山部５２においては、山上部５７の先端から上方に向かって突設された断面略逆Ｌ字状の下ハゼ部５８として形成されている。上ハゼ部５９は、下ハゼ部５８よりも一回り程度（下ハゼ部５８の周囲を取り囲むことができる程度）、大きく形成されている。下ハゼ部５８及び上ハゼ部５９は、角ハゼや丸ハゼなどの任意の形状にすることができる。
【００３８】
図示の形態では、上ハゼ部５９は、垂直方向に上方に突出する上ハゼ基片５９ａと、上ハゼ基片５９ａの上端から水平方向に外側方に突出する上ハゼ水平片５９ｂと、上ハゼ水平片５９ｂの先端から垂下する上ハゼ垂下片５９ｃと、上ハゼ垂下片５９ｃの先端から外側方に向かって斜め下方に伸びる上ハゼ先端片５９ｄとにより形成されている。また、下ハゼ部５８は、垂直方向に上方に突出する下ハゼ基片５８ａと、下ハゼ基片５８ａの上端から水平方向に内側方に突出する下ハゼ水平片５８ｂと、下ハゼ水平片５８ｂの先端から外側方に断面Ｕ字状に折り返された下ハゼ折返片５８ｃとにより形成されている。ハゼ部６０が上記のような構造となることで、強固なハゼ締めが可能となる。
【００３９】
図８は、タイトフレーム７０の一例である。タイトフレーム７０は、施工の際に屋根下地８０に取り付けられるものであり、下屋根部６を構成する折板屋根材５０を固定して取り付けるために用いられるものである。タイトフレーム７０は、鋼製などの金属製で厚さ２〜５ｍｍ程度の帯材を折り曲げ加工等することによって形成される。
【００４０】
タイトフレーム７０は、複数のフレーム山部７１とフレーム谷部７２とが交互に繰り返すように形成されている。フレーム山部７１は、フレーム頂部７３とフレーム頂部７３の両端部から外側方の斜め下方に向かって傾斜するフレーム脚部７４とで構成されている。フレーム頂部７３は水平方向と略平行に形成されているが、フレーム頂部７３の長手方向の略半分は一段低く凹んだ凹部７５として形成されている。凹部７５の底面にはボルトなどの吊子固定具７６が設けられている。
【００４１】
フレーム脚部７４には、その幅方向（短手方向）の略中央部に裏面に突出してフレームリブ７７が形成されている。このフレームリブ７７は、フレーム脚部７４の上部から下部に亘って形成されている。このように、フレームリブ７７を設けることにより、タイトフレーム７０の強度を高めることができるものである。フレームリブ７７は、フレーム脚部７４に表面からプレス加工等を施すことにより形成される。
【００４２】
タイトフレーム７０の上部には上方に突出するフレーム吊子６１が設けられる。フレーム吊子６１は、タイトフレーム６１と一体に形成されてもよいが、別部材で構成されてもよい。フレーム吊子６１は、フレーム頂部７３に固定される吊子固定片６２と、この吊子固定片６２から略垂直に上方に突出して設けられた吊子上出片６３と、吊子上出片６３の上端から側方に突出して設けられた断面略倒Ｌ字状のフレーム吊子係着部６４とを備えて形成されている。フレーム吊子係着部６４は、タイトフレーム７０の長手方向と略平行な係着基片６４ａと、係着頂片６４ａの先端から吊子上出片６３側に向かって斜め下方に延伸した係着先片６４ｂとを備えている。フレーム吊子６１の係着基片６４ａの幅（長手方向の長さ）は、タイトフレーム７０の幅よりも幅広に形成されている。
【００４３】
次に、二重折板屋根の施工について説明する。
【００４４】
二重折板屋根を施工するにあたっては、まず、図９に示すように、タイトフレーム７０を屋根下地８０に取り付ける。屋根下地８０としては鉄骨などを用いることができるがこれに限られるものではない。このとき、フレーム谷部７２を梁や母屋などの屋根下地８０にネジやビス等による固着や溶接接合などによって固定することができる。
【００４５】
次に、図１０に示すように、下屋根部６を構成する折板屋根材５０をタイトフレーム７０に取り付ける。下屋根部６に用いる折板屋根材５０は、図７と同じものであってもよいが、異なるものであってもよい。例えば、下屋根部６には、被係止部５３が設けられていない折板屋根材５０を用いてもよい。下屋根部６と上屋根部５とに同じ構成の折板屋根材５０を用いる場合は、材料点数を減らすことができ、施工が容易になる。
【００４６】
折板屋根材５０の取り付けは、隣り合うフレーム山部７１、７１の間に配置されたフレーム谷部７２の上方に折板屋根材５０の底部５１を配置して、折板屋根材５０をタイトフレーム７０に上側から被せることで行うことができる。この場合、タイトフレーム７０の長手方向と、折板屋根材５０の長手方向とが直交することになる。このとき、下ハゼ部５８にはフレーム吊子６１の係着部６４が上側から被せられ、この係着部６４には他の折板屋根材５０の上ハゼ部５９が上側から被せられる。そして、上ハゼ部５９と下ハゼ部５８とをシーマ機などのハゼ締め機でハゼ締めにより結合する。このとき、タイトフレーム７０の上方では、フレーム吊子６１の係着部６４が、上ハゼ部５９及び下ハゼ部５８とともにハゼ締めされる。そして、折板屋根材５０のハゼ部６０のうちフレーム吊子６１も含めてハゼ締めされた部分がハゼ締め結合部１０となる。このハゼ締め結合部１０は断面Ｌ字状に形成されている。なお、ハゼ締め機によるハゼ締めの前に、折板屋根材５０の仮葺き時にプライヤー型の手動工具（通称「手ガチャ」）により仮締めしてもよい。このように、折板屋根材５０の配設及びハゼ締めを行い、複数の折板屋根材５０を順次に横方向に取り付けて接続することによって、下屋根部６を形成することができる。
【００４７】
そして、図１１に示すように、下屋根部６の頂部７に、二重折板屋根の連結部材１を取り付ける。連結部材１は、下屋根部６のハゼ部６０に接続されるが、フレーム吊子６１がハゼ締めされたハゼ締め結合部１０において接続されることが好ましい。その場合、連結部材１は、タイトフレーム７０の上方に位置することになる。これにより、下屋根部６を固定するフレーム吊子６１の位置と、連結部材１の吊子４の位置が同じ位置となり、強固に折板屋根材５０を取り付けることができる。
【００４８】
連結部材１の取り付けは、接合具３０を緩めに締めて二つの係止材１１、１１を離間可能にしておき、この連結係止材１１、１１が離れて広くなった接続突設１７、１７の隙間に下屋根部６のハゼ部６０を挿入した後、接合具３０を締めて連結部材１の各部材を固定することによって行うことができる。このとき、下屋根部６のハゼ部６０（ハゼ締め結合部１０）が、両側から連結係止材１１、１１によって狭持される。この狭持は、接続部２を構成する接続突設１７、１７の各先部がフレーム吊子６１の吊子上出片６３に、両側から圧接することによるものであってよい。また、ハゼ部６０の先端は、対向する突曲部２１、２１により形成されたハゼ収納部１８内に収納される。このように、接続部２及びハゼ収納部１８が設けられることにより、ハゼ部６０を収納しつつ狭持して、連結部材１を下屋根部６に固定することが可能となる。
【００４９】
次に、図１２に示すように、下屋根部６の上に層状に断熱材３１を敷き詰めて配設する。断熱材３１は、ガラスウールやロックウールなどであってよい。断熱材３１は、上屋根部５と下屋根部６との間の厚みと同じかやや厚くして敷き詰めることができる。また、連結部材１の係止部３の先端及び吊子４の上端は断熱材３１で覆わないようにする。係止片２４の上面には断熱テープや断熱シートなどの補助断熱材３６を貼着することが好ましい。それにより、上屋根部５と係止材１１との間の熱の伝導が抑制され、断熱性が向上する。補助断熱材３６の貼着は、あらかじめ連結部材１の係止材１１又は連結部材１形成前の係止材１１に貼着してもよいし、施工の際に行ってもよい。
【００５０】
そして、図１２に示すように、上屋根部５を構成する折板屋根材５０を連結部材１に取り付ける。上屋根部５を構成する折板屋根材５０としては、図７に示すような半山部５２に被係止部５３が設けられたものを用いる。
【００５１】
折板屋根材５０の取り付けにあたっては、まず、折板屋根材５０の底部５１を隣り合う連結部材１、１の間の上方の位置に配置するとともに、折板屋根材５０の両端に設けられた各ハゼ部６０を各連結部材１の各吊子４の上方に配置する。このとき、折板屋根材５０の底部５１は、下屋根部６の谷部９の上方に配置されることになる。次に、底部５１を下方に向けて押圧する（図１２の矢印）。この押圧により、補強リブ部５４などの折板屋根材５０の折曲部分が支点となって、折板屋根材５０が内側に湾曲して弾性変形する。そして、さらに底部５１を下方に向けて押圧すると、被係止部５３の下側が係止部３の先端を上から下へと乗り越える。この結果、折板屋根材５０が弾性力によりその変形が元に戻されて形状が復元し、係止部３の下側に被係止部５３が配置して係止されることになる。
【００５２】
そして、このようにして被係止部５３が係止部３に係止されたとき、一方の半山部５２に設けられた上ハゼ部５９は吊子４の係着部４１の上側に被せられる。また、他方の半山部２に設けられた下ハゼ部５８は吊子４の係着部４１の下側に配置される。
【００５３】
そして、隣接する折板屋根材５０、５０の上ハゼ部５９と下ハゼ部５８とをシーマ機などのハゼ締め機でハゼ締めにより結合する。このとき、連結部材１の上部においては吊子４の係着部４１もハゼ部６０と一緒にハゼ締めされる。これにより、上ハゼ部５８と下ハゼ部５９と吊子４とを折板屋根材５０の長手方向の全長にわたって締め付けて結合することができる。なお、ハゼ締め機によるハゼ締めの前に、折板屋根材５０の仮葺き時にプライヤー型の手動工具（通称「手ガチャ」）により仮締めしてもよい。
【００５４】
このようにして複数の折板屋根材５０を接続することによって、上屋根部５を形成することができる。これにより、図１及び図１３に示すような二重折板屋根を施工することができる。
【００５５】
ここで、係止部３は、その先端が折板屋根材５０に対して抜け方向（上方向）ではなく、止め方向（下方向）に向く角度に形成されている。そのため、被係止部５３を係止部３の先端で充分に押えつけることができ、折板屋根材５０を強固に係止して固定することができる。しかも、本形態では、係止部３の先端の上下方向の位置は、下屋根部６の頂部７よりも下方の位置（半山上片５６の側方）にあるため、高い押さえ付け力を得ることができる。
【００５６】
図１に示す二重折板屋根は、複数の折板屋根材５０が連結され、山部８と谷部９とを交互に有する下屋根部６及び上屋根部５が、各山部８と各谷部９の横方向の位置が一致するように重ねられて形成されている。そして、上屋根部５と下屋根部６との間には、断熱材３１が挟み込まれている。そのため、断熱性が高いものである。さらに、上屋根部５の山部８は、両側部の半山部５２、５２に形成された被係止部５３が、連結部材１の係止部３によって係止されるとともに、頂部７においては連結部材１の吊子４により結合されている。そのため、上屋根部５が、連結部材１に三点（半山部５２、頂部７、半山部５２）で結合し嵌合されることとなり、強固に保持される。したがって、本形態の二重折板屋根構造は、風荷重、特に負荷重に対して優れた屋根耐力を発揮するものである。
【００５７】
ところで、連結部材１の取り付け方法は、上記の説明に限定されるものではない。図１４により、連結部材１の他の取り付け方法について説明する。
【００５８】
図１４に示すように、まず折板屋根材５０を取り付け、この取り付けられた折板屋根材５０の端部の位置に連結部材１を取り付け（図中の矢印）、その後、この連結部材１に隣接する折板屋根材５０を取り付けるようにして、連結部材１と折板屋根材５０とを順次に交互に取り付けながら上屋根部５０を形成するようにしてもよい。
【００５９】
具体的には、まず、折板屋根材５０の端部に設けられた上ハゼ部５９を既に取り付けられた連結部材１の係着部４１の上側に被せるとともに、この連結部材１の係止部３に折板屋根材５０の被係止部５３を接触させて、折板屋根材５０を配設する。このとき、折板屋根材５０は、下ハゼ部５８側の端部が自由端となって配設される。これにより図１４のような状態となる。次に、この折板屋根材５０の被係止部５３に連結部材１の一方の係止片２４の先端を押し当てて接触させるとともに、連結部材１の接続突設１７、１７間に下屋根部６のハゼ締め結合部１０を挿入する。このとき、吊子４の係着部４１を、自由端となっている折板屋根材５０の端部に設けられた下ハゼ部５８の上に被せる。そして、この位置にて接合具３０で完全にネジ締めして連結部材１の各部を接合する。これにより、連結部材１をハゼ部６０の上部に取り付けることができる。そして、既に取り付けられた折板屋根材５０に隣接する他の折板屋根材５０を同様の方法で取り付ける。上屋根部５のハゼ締めは複数の折板屋根材５０を取り付けた後でもよく、折板屋根材５０を取り付けた後、順次に行ってもよい。
【００６０】
この方法によれば、係止部３を乗り越えさせて底部１を嵌め込むようにするのではなく、順次に横方向に折板屋根材５０を取り付けることができるので、弾性変形をほとんどさせることなく折板屋根材５０と取り付けることも可能であり、施工が容易になる。また、下ハゼ部５８、吊子４の係着部４１及び上ハゼ部５９は、それぞれ上から被せるだけで係合させることができ、また、係止片２４を半山部５２に圧接させるだけで係止部３と被係止部５３とを係合させることができるので、簡単に折板屋根材５０を係合させて取り付けることができる。また、弾性変形による折板屋根材５０の取り付けができないような深く入り込んだ強力な係合も可能になり、その場合、強固に折板屋根材５０を係合して取り付けることができる。
【００６１】
また、連結部材１を組み立てながら折板屋根材５０を取り付けることもできる。上記の説明のとおり、連結部材１は接合具３０によって接合されており、この接合具３０での接合を解除することによって、各部材に分解可能なものである。そこで、連結部材１を各部材に分けてバラした状態で準備しておく。そして、連結部材１を組み立てながら、折板屋根材５０を取り付ける。
【００６２】
具体的には、まず、上記と同様に、折板屋根材５０の端部に設けられた上ハゼ部５９を既に取り付けられた連結部材１の係着部４１の上側に被せるとともに、この連結部材１の係止部３に折板屋根材５０の被係止部５３を接触させて、折板屋根材５０を配設する。これにより屋根面は図１４のような状態となる。次に、この折板屋根材５０の被係止部５３に係止材１１の係止片２４の先端を押し当てて接触させるとともに、下屋根部６のハゼ締め結合部１０を係止材１１の突曲部２１の内側に配設させながら、この位置にてこの係止材１１、断熱体１２、吊子４、他の断熱体１２、及び他の係止材１１を接合具３０で接合する。このとき、吊子４の係着部４１は下ハゼ部５８の上側に配設されるようにする。これにより、連結部材１がハゼ部６０の上部において組み立てられ、図１４に示す形態と同様に、折板屋根材５０の取り付け後に、その折板屋根材５０の端部に位置する連結部材１を取り付けることができる。そして、既に取り付けられた折板屋根材５０に隣接する他の折板屋根材５０を同様の方法で取り付ける。
【００６３】
この方法によれば、係止部３を乗り越えさせて底部１を嵌め込むようにするのではなく、順次に横方向に折板屋根材５０を取り付けることができるので、弾性変形をほとんどさせることなく折板屋根材５０と取り付けることも可能であり、施工が容易になる。また、下ハゼ部５８、吊子４の係着部４１及び上ハゼ部５９は、それぞれ上から被せるだけで係合させることができ、また、係止片２４を半山部５２に圧接させるだけで係止部３と被係止部５３とを係合させることができるので、簡単に折板屋根材５０を係合させて取り付けることができる。また、弾性変形による折板屋根材５０の取り付けができないような深く入り込んだ強力な係合も可能になり、その場合、強固に折板屋根材５０を係合して取り付けることができる。
【００６４】
図１５は、二重折板屋根の他の実施形態である。この二重折板屋根の構造では、タイトフレーム７０のフレーム脚部７４に、側方に突出する係合部材３２が取り付けられている。係合部材３２は、金属板などによって形成される。係合部材３２は、下係合片３３と上係合片３４とを備えており、この下係合片３３と上係合片３４とによってＬ字状の係合部３５が形成されている。そしてこの係合部３５は、下屋根部６を構成する折板屋根材５０の被係止部５３と係合しており、それにより、折板屋根材５０の底部５１がフレーム谷部７２嵌め込まれた構造となっている。本形態では、上屋根部５に加えて下屋根部６も山部８の両側部において係合されることにより、さらに強固な屋根構造を形成することができるものである。
【００６５】
また、図１５の形態においては、折板屋根材５０の底部５１には、中央部において凹設されて低い段となった底部凹段５１ａが形成されている。このように折板屋根材５０の底部５１に底部凹段５１ａが設けられることにより、折板屋根材５０の弾性変形がより容易となり、施工が簡単になる。しかも、底部凹段５１ａによって屋根のデザイン性を向上させることができるとともに、底部凹段５１ａは雨水を流す通路の機能を備えることもでき、機能性と意匠性の高い屋根構造を形成することができる。
【００６６】
なお、図１５の形態において、図７に示すような折板屋根材５０を用いたり、あるいは、係合部材３２を用いなかったりする形態も、本発明の構成に含まれることは言うまでもない。
【符号の説明】
【００６７】
１      連結部材
２      接続部
３      係止部
４      吊子
５      上屋根部
６      下屋根部
７      頂部
８      山部
９      谷部
１０    ハゼ締め結合部
１１    係止材
１２    断熱体
１７    接続突設
２３    側出片
２４    係止片
５０    折板屋根材
５３    被係止部
６０    ハゼ部
７０    タイトフレーム
【図１】
2013023932.tif 000003
【図２】
2013023932.tif 000004
【図３】
2013023932.tif 000005
【図４】
2013023932.tif 000006
【図５】
2013023932.tif 000007
【図６】
2013023932.tif 000008
【図７】
2013023932.tif 000009
【図８】
2013023932.tif 000010
【図９】
2013023932.tif 000011
【図１０】
2013023932.tif 000012
【図１１】
2013023932.tif 000013
【図１２】
2013023932.tif 000014
【図１３】
2013023932.tif 000015
【図１４】
2013023932.tif 000016
【図１５】
2013023932.tif 000017
【図１６】
2013023932.tif 000018
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
連設された複数の折板屋根材によって構成され山部と谷部とが交互に配置された上屋根部と下屋根部とを連結する二重折板屋根の連結部材であって、下屋根部の頂部と接続される接続部と、上屋根部とハゼ締めされる吊子と、両側方に突出して上屋根部の山部の両側部に設けられた被係止部を係止する係止部とを備えるとともに、前記吊子の両側に断熱体及び係止材がこの順で配設されて構成され、
前記断熱体により、前記接続部と前記吊子とが断熱され、
前記各係止材は、垂直に立設する基部と、この基部の下部から側方に突出する側出片とを備え、
前記係止部は、前記係止材の前記側出片の端部からこの側出片よりも下方に傾斜して側方に突出する係止片により構成され、
前記接続部は、前記各係止材の内側に突設された対向する接続突設により構成されていることを特徴とする、二重折板屋根の連結部材。
【請求項２】
前記各係止材、前記断熱体及び前記吊子に接合孔が設けられ、この接合孔に接合具が挿入されて、前記各係止材、前記断熱体及び前記吊子が接合一体化されることを特徴とする、請求項１に記載の二重折板屋根の連結部材。
【請求項３】
請求項１又は２に記載の二重折板屋根の連結部材により、上屋根部と下屋根部とを連結したことを特徴とする、二重折板屋根の構造。
【手続補正２】
【補正対象書類名】明細書
【補正対象項目名】０００７
【補正方法】変更
【補正の内容】
【０００７】
本発明に係る二重折板屋根の連結部材は、連設された複数の折板屋根材によって構成され山部と谷部とが交互に配置された上屋根部と下屋根部とを連結する二重折板屋根の連結部材であって、下屋根部の頂部と接続される接続部と、上屋根部とハゼ締めされる吊子と、両側方に突出して上屋根部の山部の両側部に設けられた被係止部を係止する係止部とを備えるとともに、前記吊子の両側に断熱体及び係止材がこの順で配設されて構成され、前記断熱体により、前記接続部と前記吊子とが断熱され、前記各係止材は、垂直に立設する基部と、この基部の下部から側方に突出する側出片とを備え、前記係止部は、前記係止材の前記側出片の端部からこの側出片よりも下方に傾斜して側方に突出する係止片により構成され、前記接続部は、前記各係止材の内側に突設された対向する接続突設により構成されていることを特徴とする。
【手続補正３】
【補正対象書類名】明細書
【補正対象項目名】０００８
【補正方法】変更
【補正の内容】
【０００８】
前記二重折板屋根の連結部材の好ましい形態においては、前記各係止材、前記断熱体及び前記吊子に接合孔が設けられ、この接合孔に接合具が挿入されて、前記各係止材、前記断熱体及び前記吊子が接合一体化されている。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】